(57)【特許請求の範囲】
【請求項１】
屋根の頂上部を複数の接合樋で母屋方向を区分けし、該各区分区間毎に屋根カバーで着脱自在又は開閉自在にカバーして成る接合樋区分け式棟部屋根構造。
【請求項２】
両側の母屋桁間の上部空間を複数の接合樋で母屋方向を区分けして各区分毎に屋根カバーで着脱自在に閉塞するとともに、該屋根カバーの母屋方向の前後に設けた下がり縁を該接合樋の溝内に挿入し、かつ該屋根カバーの左右両側に設けた下がり縁を水切板面に当接或いは近接せしめて防水せしめる接合樋区分式棟部屋根構造。
【請求項３】
接合樋が中央部で上方に湾曲せしめた接合樋に形成してある請求項１乃至２のいずれかに記載の接合樋区分式棟部屋根構造。
【請求項４】
接合樋の高くなる中央部で屈曲して成る請求項１乃至２のいずれかに記載の接合樋区分式棟部屋根構造。
【請求項５】
屋根カバーの片側に設けた蝶番或いはそのような作用をなす１乃至数個の部品を屋根本体又は接合樋に取り付けるとともに他側に閉塞固定装置を設けて成る請求項１に記載の接合樋区分式棟部屋根構造。
【請求項６】
屋根の頂上部を複数の接合樋で母屋方向を区分けし、該各区分区間毎に屋根カバーで回転式開閉構造となし、遠隔操作による電動装置で開閉自在とした接合樋区分式棟部屋根構造。
【発明の詳細な説明】
【０００１】
【産業上の利用分野】
本発明は屋根が切妻・マンサード・入母屋形状の頂上部の棟木を省略し、母屋桁間の上部空間を複数に子分する接合樋を設け、該部位を開閉自在又は着脱自在の屋根カバーで閉塞して、必要時に該かばーを開いてアンテナ・大洋電池パネルその他の後付けの屋根上設備を簡単かつ安全に取り付け可能とするものである。
【０００２】
【従来の技術】
従来、一般家屋では棟木は木造建築の主要な構造部だったが近年は屋根上の設備機器が出現したが従来とかわらない屋根構造のため、取り付け作業は熟練した職人でも危険性がある。屋根を傷めず、かつ風雨に耐えられる場所の選定も難しく補修などの維持管理も手間がかかるが雨仕舞が難しく潜水艦のような単独の開閉式窓仕様が稀にある程度であった。
【０００３】
【発明が解決しようとする課題】
本発明は第一に屋根上を移動しながらの作業の危険性を取りのぞき、第二には取り付け場所も視認で安全な位置を選定し易く、第三に梯子を使わず屋内で体を支えて作業可能とする雨仕舞の完全な着脱式又は回転開閉式の棟部の屋根構造の提供である。
【０００４】
【課題を解決するための手段】
本発明は請求項１においては、屋根の頂上部を複数の接合樋で母屋方向に区分けし、該各区分区間毎に屋根カバーで着脱自在又は開閉自在にカバーして成る接合樋区分式棟部屋根構造である。請求項２は両側の母屋桁間の上部空間を複数の接合樋で母屋方向において区分して各区分毎に屋根カバーで着脱自在に閉塞するとともに、該屋根カバーの母屋方向の前後に設けた下がり縁を該接合樋の溝内に挿入し、かつ該屋根カバーの左右両側に設けた下がり縁を水切板面に当接或いは近接せしめて防水せしめる接合樋区分式棟部屋根構造である。請求項３は接合樋が中央で上方に湾曲せしめた接合樋に形成してある請求項１乃至２のいずれかに記載の接合樋区分式棟部屋根構造である。請求項４は接合樋の高くなる中央部で屈曲して成る請求項１乃至２のいずれかに記載の接合樋区分式棟部屋根構造である。請求項５は屋根カバーの片側に設けた蝶番或いはそのような作用をなす１乃至数個の部品を屋根本体又は接合樋に取り付けるとともに他側に閉塞固定装置を設けて成る請求項１に記載の接合樋区分式棟部屋根構造である。請求項６は屋根の頂上部を複数の接合樋で母屋方向を区分けし、該各区分区間毎に屋根カバーで回転式開閉構造となし、遠隔操作による電動装置で開閉自在とした接合樋区分式棟部屋根構造である。本発明は切り妻・マンサード・入母屋等の屋根の母屋桁間の棟木を省略して上方に開く空間を構え、該空間を区分けする接合樋を上部に設け、該区分けのそれぞれに個別の屋根カバーを着脱自在又は開閉自在に取り付けて閉塞可能とするもので、一実施例をあげて図面により詳述すれば
【０００５】
【実施例１】
本例は本発明による着脱式屋根カバーの一実施例で図１より図５において、省略した棟木の左右の母屋桁１０間のロングスパンの屋根空間部分に、中央部を上方に湾曲せしめた接合樋３で複数に区切り、該区切り部分を接合樋３と接合樋間の水切４で水留めされる屋根カバー２で着脱可能に閉塞して成り、接合樋３は溝型金属部材で上方に開溝湾曲せしめてあり、両端部で下方の水切板５と水切桟６、垂木を貫通せしめて一帯に固定してある。屋根カバーは四周に下がり縁を構えた全体断面円弧状のアルミ合金製の屋根カバー２で、該下がり縁の前後の下がり縁は両側に設けた接合樋３の溝内に差し込み、該溝の立上片の上縁に屋根カバー２の下面が当接していて上方からの風雨圧を支持せしめてある。又、該屋根カバー２の前後の下がり縁は腐食し難い金属薄板、例えばステンレス鋼・アルミ合金等製の水切板５の上部に当接して、風雨の吹き込みを防止し水止め効果がある。更に、該屋根カバー２の下面には該下がり縁と平行に取付片１１が設けてある。該取付片には複数の取り付け孔が設けてあり水切り部材、例えば水切桟６にビス留めできるが、適切な係止具１４で着脱自在に構成できる。水切部材、接合樋等の固定は小屋梁上に足場作業板を架け渡して可能で、屋根カバーも着脱できる。本例では垂木と水切板の間に野地板、瓦、コロニアル等を差し入れてコーキングできる。尚、接合樋の形状は各種あるが、図６のような形状でもその形状に対応した屋根カバーを製造して同様な効果が得られる。
【０００６】
【実施例２】
図６、図７は開閉式の一例で接合樋３に対応する屋根カバー２の片側には蝶番１３が設けてあり水切桟６に取り付けてある。アングルの取付片１１を係止具１４で水切桟６に係止して閉塞状態を保つ。開く時は係止具を外し内部から押して矢印Ｐ方向に回動させ一点破線のように開ける。図６中の接合樋３の軸孔１５は屋根カバーの開閉回動支持軸で、屋根カバーの対応する位置に支持孔を設け、支持軸を嵌めれば同様に回転式開閉構造の屋根カバーに成る。又、電動装置１６を設けて遠隔操作を可能ににすると暑熱発散に好都合である。
【０００７】
【効果】
上記構成により、母屋間の棟木を省略し、小屋梁を利用して屋内上部作業で棟屋根の工事を可能とし、屋根カバーの取り外し又は開閉によりアンテナその他の設備機器を素人でも安全に取り付け作業ができる。更に棟部分の重い瓦材その他を不要とし、耐震効果が生じ、夏期の暑熱発散にも効果がある。
【０００８】
【図面の簡単な説明】
【図１】丸い屋根カバーを取り付けた丸屋根家屋の正面図、
【図２】丸い屋根カバーを取り付けた工事中の部分平面図、
【図３】図２の屋根カバーを外した部分平面図、
【図４】図１中の断面ＡーＡ’、
【図５】屋根カバーの正面図、
【図６】接合樋の他の一例の正面図、
【図７】実施例２の開閉式屋根カバーの正面図である。
符号の説明
１  丸屋根家屋、２  屋根カバー、３  接合樋、４  水切、５  水切板、６  水切桟、
７  垂木、９  ボルト、１０  母屋、１１  取付片、１２  束、１３  蝶番、
１４  係止具、１５  軸孔、１６  電動装置である。
【図１】
0003583754.tif 000002
【図２】
0003583754.tif 000003
【図３】
0003583754.tif 000004
【図４】
0003583754.tif 000005
【図５】
0003583754.tif 000006
【図６】
0003583754.tif 000007
【図７】
0003583754.tif 000008